【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
身体管腔内の標的部位を治療するための医療デバイスであって、前記医療デバイスは、
相互に織り込まれた複数の切り込み入りフィラメントおよび複数の非切り込み入りフィラメントを備える、ステント状構造を備え、
前記ステント状構造は、切り込み入りフィラメントより多くの非切り込み入りフィラメントを備え、前記複数の非切り込み入りフィラメントは、前記ステント状構造が前記身体管腔内で拡張された後、前記身体管腔を半径方向に支持するように構成される、医療デバイス。
【請求項２】
前記ステント状構造は、管状メッシュ編組を備える、請求項１に記載の医療デバイス。
【請求項３】
前記ステント状構造は、拡張構成および圧潰構成を有し、前記拡張構成におけるステント状構造は、前記圧潰構成に圧潰可能であり、オプションで、前記拡張可能構成におけるステント状構造は、前記ステント状構造を軸方向に縮小することによって、前記圧潰構成に圧潰可能である、請求項１に記載の医療デバイス。
【請求項４】
前記複数の切り込み入りフィラメントまたは前記複数の非切り込み入りフィラメントのうちの１つ以上は、非軸方向である、請求項１に記載の医療デバイス。
【請求項５】
前記複数の切り込み入りフィラメントまたは前記複数の非切り込み入りフィラメントのうちの１つ以上は、前記ステント状構造の縦軸にわたって螺旋状に巻着され、オプションで、前記複数の切り込み入りフィラメントまたは前記複数の非切り込み入りフィラメントのうちの１つ以上は、同一の方向に螺旋状に巻着される、請求項４に記載の医療デバイス。
【請求項６】
各切り込み入りフィラメントは、先鋭、三角形、または長方形形状のうちの１つ以上を有するか、または、各非切り込み入りフィラメントは、平坦、丸形、長方形、または円筒形形状のうちの１つ以上を有する、請求項１に記載の医療デバイス。
【請求項７】
少なくとも１つの切り込み入りフィラメントは、少なくとも１つの非切り込み入りフィラメントが前記少なくとも１つの切り込み入りフィラメントを通して交差するときに、前記少なくとも１つの非切り込み入りフィラメントを受容するための複数の切り欠きを備え、前記複数の切り欠きは、前記少なくとも１つの切り込み入りフィラメントの長さにわたって分散される、請求項１に記載の医療デバイス。
【請求項８】
拡張可能要素をさらに備え、前記ステント状構造は、前記拡張可能要素にわたって配置され、前記拡張可能要素は、前記ステント状構造を前記身体管腔の内壁に対して半径方向外向きに付勢するように拡張可能である、請求項１に記載の医療デバイス。
【請求項９】
前記拡張可能要素は、膨張可能バルーンを備えるか、または、前記拡張可能要素は、独立して、前記ステント状構造から圧潰可能であるか、または、前記拡張可能要素は、治療薬または物質でコーティングされた外側表面を備えるか、または、前記拡張可能要素は、治療薬または物質を放出するための１つ以上の細孔を備える、請求項８に記載の医療デバイス。
【請求項１０】
カテーテルシャフトをさらに備え、前記拡張可能要素は、前記カテーテルシャフトにわたって配置される、請求項８に記載の医療デバイス。
【請求項１１】
前記拡張可能要素および前記ステント状構造の近位で前記カテーテルシャフトにわたって配置される拡張可能近位閉塞器をさらに備える、請求項１０に記載の医療デバイス。
【請求項１２】
拡張可能遠位閉塞器をさらに備え、オプションで、前記遠位閉塞器は、前記拡張可能要素および前記ステント状構造の遠位に位置付けられるように、前記カテーテルシャフトの内側管腔を通して前進可能であり、オプションで、前記遠位閉塞器は、膨張可能ではない、請求項１１に記載の医療デバイス。
【手続補正２】
【補正対象書類名】明細書
【補正対象項目名】００４２
【補正方法】変更
【補正の内容】
【００４２】
本発明の他の特徴、側面、および利点は、以下の図、発明を実施するための形態、および請求項の精査に応じて見られ得る。
本発明は、例えば、以下を提供する。
（項目１）
身体管腔内の標的部位を治療するための医療デバイスであって、
相互に織り込まれた複数の切り込み入りフィラメントおよび複数の非切り込み入りフィラメントを備える、ステント状構造を備え、
前記ステント状構造は、切り込み入りフィラメントより多くの非切り込み入りフィラメントを備える、医療デバイス。
（項目２）
前記ステント状構造は、管状メッシュ編組を備える、項目１に記載の医療デバイス。
（項目３）
前記複数の非切り込み入りフィラメントは、前記ステント状構造がその中で拡張された後、前記身体管腔を半径方向に支持するように構成される、項目１に記載の医療デバイス。
（項目４）
前記ステント状構造は、拡張構成および圧潰構成を有し、前記拡張構成におけるステント状構造は、前記圧潰構成に圧潰可能である、項目１に記載の医療デバイス。
（項目５）
前記拡張可能構成におけるステント状構造は、前記ステント状構造を軸方向に縮小することによって、前記圧潰構成に圧潰可能である、項目４に記載の医療デバイス。
（項目６）
前記複数の切り込み入りフィラメントまたは前記複数の非切り込み入りフィラメントのうちの１つ以上は、非軸方向である、項目１に記載の医療デバイス。
（項目７）
前記複数の切り込み入りフィラメントまたは前記複数の非切り込み入りフィラメントのうちの１つ以上は、前記ステント状構造の縦軸にわたって螺旋状に巻着される、項目６に記載の医療デバイス。
（項目８）
前記複数の切り込み入りフィラメントまたは前記複数の非切り込み入りフィラメントのうちの１つ以上は、同一の方向に螺旋状に巻着される、項目７に記載の医療デバイス。
（項目９）
各切り込み入りフィラメントは、先鋭、三角形、または長方形形状のうちの１つ以上を有する、項目１に記載の医療デバイス。
（項目１０）
各非切り込み入りフィラメントは、平坦、丸形、長方形、または円筒形形状のうちの１つ以上を有する、項目１に記載の医療デバイス。
（項目１１）
少なくとも１つの切り込み入りフィラメントは、前記少なくとも１つの非切り込み入りフィラメントが、前記少なくとも１つの切り込み入りフィラメントを通して交差するにつれて、少なくとも１つの非切り込み入りフィラメントを受容するための複数の切り欠きを備え、前記複数の切り欠きは、前記少なくとも１つの切り込み入りフィラメントの長さにわたって分散される、項目１に記載の医療デバイス。
（項目１２）
拡張可能要素をさらに備え、前記ステント状構造は、前記拡張可能要素にわたって配置され、前記拡張可能要素は、前記ステント状構造を前記身体管腔の内壁に対して半径方向外向きに付勢するように拡張可能である、項目１に記載の医療デバイス。
（項目１３）
前記拡張可能要素は、膨張可能バルーンを備える、項目１２に記載の医療デバイス。
（項目１４）
前記拡張可能要素は、独立して、前記ステント状構造から圧潰可能である、項目１２に記載の医療デバイス。
（項目１５）
前記拡張可能要素は、治療薬または物質でコーティングされた外側表面を備える、項目１２に記載の医療デバイス。
（項目１６）
前記拡張可能要素は、治療薬または物質を放出するための１つ以上の細孔を備える、項目１２に記載の医療デバイス。
（項目１７）
カテーテルシャフトをさらに備え、前記拡張可能要素は、前記カテーテルシャフトにわたって配置される、項目１２に記載の医療デバイス。
（項目１８）
前記拡張可能要素および前記ステント状構造の近位で前記カテーテルシャフトにわたって配置される拡張可能近位閉塞器をさらに備える、項目１７に記載の医療デバイス。
（項目１９）
拡張可能遠位閉塞器をさらに備える、項目１７に記載の医療デバイス。
（項目２０）
前記遠位閉塞器は、前記拡張可能要素および前記ステント状構造の遠位に位置付けられるように、前記カテーテルシャフトの内側管腔を通して前進可能である、項目１９に記載の医療デバイス。
（項目２１）
前記遠位閉塞器は、非膨張可能である、項目２０に記載の医療デバイス。
（項目２２）
身体管腔内の標的部位を治療するための医療デバイスであって、
相互に織り込まれた複数の切り込み入りフィラメントおよび複数の非切り込み入りフィラメントを備える、ステント状構造を備え、
少なくとも１つの切り込み入りフィラメントは、前記少なくとも１つの非切り込み入りフィラメントが、前記少なくとも１つの切り込み入りフィラメントを通して交差するにつれて、少なくとも１つの非切り込み入りフィラメントを受容するための複数の切り欠きを備え、
前記複数の切り欠きは、前記少なくとも１つの切り込み入りフィラメントの長さにわたって分散される、医療デバイス。
（項目２３）
身体管腔内の標的領域を治療する方法であって、
カテーテルアセンブリを前記身体管腔内の標的領域またはその近傍に位置付けるステップと、
前記カテーテルアセンブリの拡張可能要素を拡張させ、前記拡張可能要素にわたって配置されるステント状構造を拡張させ、前記拡張可能要素および前記ステント状構造の両方を前記標的領域の内壁に対して付勢するステップと、
前記内壁の中への注入のために、前記拡張可能要素の外側表面から治療薬を放出するステップと、
前記拡張可能要素を圧潰させ、前記ステント状構造を、前記内壁に対して拡張され、かつ前記内壁を半径方向に支持したままにするステップと、
前記ステント状構造を、一定時間周期の間、前記内壁に対して拡張されたままにし、前記内壁の弾性反跳を阻害し、前記治療薬が、前記内壁の中へ注入されることを可能にするステップと、
前記時間周期後、前記ステント状構造を圧潰させるステップと、
前記カテーテルアセンブリを前記標的領域から除去するステップと、
を含む、方法。
（項目２４）
前記ステント状構造または前記拡張可能要素のうちの１つ以上を用いて、前記内壁に切り込むステップをさらに含む、項目２３に記載の方法。
（項目２５）
身体管腔内の標的領域を治療する方法であって、
カテーテルアセンブリを前記身体管腔内の標的領域またはその近傍に位置付けるステップと、
前記カテーテルアセンブリの拡張可能要素を拡張させ、前記拡張可能要素にわたって配置されるステント状構造を拡張させ、前記拡張可能要素および前記ステント状構造の両方を前記標的領域の内壁に対して付勢するステップと、
前記内壁の中に注入するために、前記拡張可能要素の１つ以上の細孔から治療薬を放出するステップと、
前記拡張可能要素を圧潰させ、前記ステント状構造を、前記内壁に対して拡張され、かつ前記内壁を半径方向に支持したままにするステップと、
前記ステント状構造を、一定時間周期の間、前記内壁に対して拡張されたままにし、前記内壁の弾性反跳を阻害し、前記治療薬が、前記内壁の中に注入されることを可能にするステップと、
前記時間周期後、前記ステント状構造を圧潰させるステップと、
前記カテーテルアセンブリを前記標的領域から除去するステップと、
を含む、方法。
（項目２６）
前記ステント状構造または前記拡張可能要素のうちの１つ以上を用いて、前記内壁に切り込むステップをさらに含む、項目２５に記載の方法。